(57)【要約】光ユニットをラックに取り付けるためのブラケットを提供する。このブラケットは、ブラケット本体と留め具とを備える。ブラケット本体は、第１面及び第１面の反対側の第２面を含む第１壁部と、第１壁部に対して交差する方向に第２面から第１面とは逆に伸びる突起と、を有する。ブラケット本体には、第１壁部を第１面から第２面に向かって貫通する穴が設けられる。留め具は、第１壁部の穴を通るように配置され、第１壁部に対して回転可能に構成されている。留め具は、第２面と略平行な押さえ面を含む第１フックを有する。第１フックの押さえ面は、少なくとも留め具が初期位置から第１係止位置まで回転した際、第１壁部の第２面との間に第１空隙を画定するように第２面と対向する。
2020054776.tif 000002
【特許請求の範囲】
【請求項１】
光ユニットをラックに取り付けるためのブラケットであって、
第１面及び当該第１面の反対側の第２面を含む第１壁部と、前記第１壁部に対して交差する方向に前記第２面から前記第１面とは逆に伸びる突起と、を有するブラケット本体であって、前記第１壁部を前記第１面から前記第２面に向かって貫通する穴が設けられた、ブラケット本体と、
前記第１壁部の前記穴を通るように配置され、前記第１壁部に対して回転可能に構成された留め具であって、前記第２面と略平行な押さえ面を含む第１フックを有する、留め具と、
を備え、
前記第１フックの前記押さえ面は、少なくとも前記留め具が初期位置から第１係止位置まで回転した際、前記第１壁部の前記第２面との間に第１空隙を画定するように前記第２面と対向する、ブラケット。
【請求項２】
前記留め具は、前記第１壁部の前記第１面の側に設けられ、当該留め具を回転させるように構成されたハンドルを有し、
前記ブラケットは、前記ハンドルと前記ブラケット本体との間に配置される弾性部材を更に備える、
請求項１に記載のブラケット。
【請求項３】
前記留め具は、
当該留め具を回転させるように構成されたハンドルを有し、前記第１面の側に設けられる第１回転部材と、
前記第１フックを有し、前記第２面の側に設けられる第２回転部材と、を有し、
前記第１回転部材と前記第２回転部材とが一体的に回転するように前記第１回転部材が前記第２回転部材に取り付けられている、
請求項１又は請求項２に記載のブラケット。
【請求項４】
前記留め具は、前記第２面と略平行な押さえ面を有する第２フックを更に有し、前記第２フックは前記留め具の回転軸に沿った方向において前記第１フックとは異なる位置に設けられており、
前記第２フックの前記押さえ面は、少なくとも前記留め具が初期位置から第２係止位置まで回転した際、前記第１壁部の前記第２面との間に第２空隙を画定するように前記第２面と対向する、
請求項１から請求項３の何れか１項に記載のブラケット。
【請求項５】
前記第１空隙の距離は、前記回転軸に沿った方向において、前記第２空隙の距離よりも短い、請求項４に記載のブラケット。
【請求項６】
前記留め具は、前記第１フックと前記第２フックとがその外周に設けられる筒部を更に有し、前記第１フックと前記第２フックとが前記筒部の周方向における逆側に配置されている、
請求項４又は請求項５に記載のブラケット。
【請求項７】
前記ブラケット本体は、当該ブラケット本体を前記光ユニットに固定するための構造を含む第２壁部を有し、当該第２壁部には切欠きが設けられており、
前記留め具が前記初期位置から前記第１係止位置へと回転した際に前記第２フックが前記切欠きに収納される、又は、前記留め具が前記初期位置から前記第２係止位置へと回転した際に前記第１フックが前記切欠きに収納される、
請求項４から請求項６の何れか１項に記載のブラケット。
【請求項８】
前記ブラケット本体は、当該ブラケット本体を前記光ユニットに固定するための構造を含む第２壁部を有する、
請求項１から請求項６の何れか１項に記載のブラケット。
【請求項９】
前記第１壁部と前記第２壁部とは、前記第１壁部が広がる方向と前記第２壁部が広がる方向とが交差するように連なっている、
請求項８に記載のブラケット。
【請求項１０】
前記突起は、前記留め具が通される前記穴よりも上方に位置するように前記第１壁部に設けられている、
請求項１から請求項９の何れか１項に記載のブラケット。
【請求項１１】
少なくとも１つの、請求項１から請求項１０の何れか１項に記載のブラケットと、
複数の光ファイバが内部に収納された光ユニットと、を備え、
前記ブラケット本体が前記光ユニットに固定されている、
ブラケット付き光ユニット。
【発明の詳細な説明】
【技術分野】
【０００１】
本開示は、ブラケット及びブラケット付き光ユニットに関する。
本出願は、２０１８年９月１２日出願の米国特許出願第１６／１２８，６２１号に基づく優先権を主張し、前記米国特許出願に記載された全ての記載内容を援用する。
【背景技術】
【０００２】
特許文献１は、ファイバモジュールラックシステムを開示する。このシステムでは、複数の光学カセットが搭載された光ユニットの両端に一対のＬ字型のブラケットが取り付けられており、これらのブラケットをラックにネジ留めすることにより、光ユニットが固定される。
【先行技術文献】
【特許文献】
【０００３】
【特許文献１】米国特許出願公開第２０１７／００１０４３２号明細書
【発明の概要】
【０００４】
本開示は、光ユニットをラックに取り付けるためのブラケット（bracket）を提供する。このブラケットは、ブラケット本体（bracket body）と留め具（fastener）とを備える。ブラケット本体は、第１面及び第１面の反対側の第２面を含む第１壁部と、第１壁部に対して交差する方向に第２面から第１面とは逆に伸びる突起と、を有する。ブラケット本体には、第１壁部を第１面から第２面に向かって貫通する穴が設けられる。留め具は、第１壁部の穴を通るように配置され、第１壁部に対して回転可能に構成されている。留め具は、第２面と略平行な押さえ面を含む第１フックを有する。第１フックの押さえ面は、少なくとも留め具が初期位置から第１係止位置まで回転した際、第１壁部の第２面との間に第１空隙を画定するように第２面と対向する。
【図面の簡単な説明】
【０００５】
【図１】図１は、一実施形態に係る一対のブラケットにより、光ユニットが一対のラックに取り付けられている状態（第１係止位置）を示す斜視図である。
【図２】図２は、一実施形態に係るブラケットの分解斜視図である。
【図３】図３は、図２に示すブラケットの一構成部品であるブラケット本体を裏側から視た斜視図である。
【図４】図４は、図２に示すブラケットの一構成部品である留め具を裏側から視た斜視図である。
【図５Ａ】図５Ａは、図４に示す留め具を表側から視た際の分解斜視図である。
【図５Ｂ】図５Ｂは、留め具を裏側から視た際の分解斜視図である。
【図６Ａ】図６Ａは、ブラケットが非係止状態（初期位置）にある場合を示す正面図である。
【図６Ｂ】図６Ｂは、ブラケットが非係止状態（初期位置）にある場合を示す側面図である。
【図７Ａ】図７Ａは、光パネルの一端（右端）がブラケットによりラックに取り付けられている状態（第１係止位置）を表側から視た斜視図である。
【図７Ｂ】図７Ｂは、光パネルの一端（右端）がブラケットによりラックに取り付けられている状態（第１係止位置）を裏側から視た斜視図である。
【図８】図８は、一実施形態に係る一対のブラケットにより、光パネルが一対のラックに取り付けられている状態（第２係止位置）を示す斜視図である。
【図９】図９は、変形例に係るブラケットの分解斜視図である。
【図１０Ａ】図１０Ａは、光パネルに搭載される光コネクタモジュールを前方から視た斜視図である。
【図１０Ｂ】図１０Ｂは、光コネクタモジュールを後方から視た斜視図である。
【図１０Ｃ】図１０Ｃは、光コネクタモジュールを側方から視た側面図である。
【図１１】図１１は、光コネクタモジュールの内部での配線の一例を示す模式図である。
【発明を実施するための形態】
【０００６】
［本開示が解決しようとする課題］
特許文献１に記載の光ユニットは、光ユニットに固定されたブラケットをネジ等によりラックに取り付けることにより、ラックに固定される。しかしながら、取り付ける光ユニットの数が増えると、光ユニットの数の分、ネジ留め作業を行う必要があり、取り付け作業に時間と手間がかかる。そこで、光ユニットのラックへの取り付けをより簡易に行える取付け手段の提供が望まれている。
【０００７】
［本開示の効果］
本開示によれば、光ユニットをラックにより簡易に取り付けることができる。
【０００８】
［本開示の実施形態の説明］
最初に本開示の実施形態を列記して説明する。本開示の一実施形態に係るブラケットは、光ユニットをラックに取り付けるためのブラケットであり、ブラケット本体と留め具とを備える。ブラケット本体は、第１面及び当該第１面の反対側の第２面を含む第１壁部と、第１壁部に対して交差する方向に第２面から第１面とは逆に伸びる突起と、を有する。ブラケット本体には、第１壁部を第１面から第２面に向かって貫通する穴が設けられる。留め具は、第１壁部の穴を通るように配置され、第１壁部に対して回転可能に構成されている。留め具は、第２面と略平行な押さえ面を含む第１フックを有する。第１フックの押さえ面は、少なくとも留め具が初期位置から第１係止位置まで回転した際、第１壁部の第２面との間に第１空隙を画定するように第２面と対向する。
【０００９】
このブラケットには、ラックに設けられた穴に挿入して光ユニットをラックに対して仮固定するための突起と、ラックの前板（アングル）を挟み込んで固定することができる、ブラケット本体の第１壁部の第２面及び留め具の第１フックの押さえ面とが設けられている。そして、このブラケットでは、かかる突起をラックの穴に挿入した後、留め具を初期位置から第一係止位置まで回転させることで、第２面と押さえ面との間にラックの前板（アングル）を容易に挟み込むことができる。このブラケットによれば、ブラケットをネジ留め等によりラックに取り付ける必要がなく、操作の容易な回転動作等により光ユニットをラックに取り付けられるため、取り付け作業時間を短縮することができる。また、光ユニットをラックにより簡易に取り付けることができる。ここで、「初期位置」は、留め具によって光ユニットがラックに固定される（回転）前の位置であり、「第１係止位置」は、回転された留め具によって光ユニットが第１板厚を有するラックに固定された際の位置である。
【００１０】
一実施形態として、留め具は、第１壁部の第１面の側に設けられ、当該留め具を回転させるように構成されたハンドルを有してもよい。ハンドルを有する留め具により、留め具の回転動作を容易に行える。また、ブラケットは、ハンドルとブラケット本体との間に配置される弾性部材を更に備えてもよい。弾性部材を設けることにより、第２面と押さえ面とによるラックの挟み込みに付勢力を提供することができ、光パネルをラックに対してより確実に固定させることができる。
【００１１】
一実施形態として、留め具は、当該留め具を回転させるように構成されたハンドルを有し、第１面の側に設けられる第１回転部材と、第１フックを有し、第２面の側に設けられる第２回転部材と、を有してもよい。第１回転部材と第２回転部材とが一体的に回転するように第１回転部材が第２回転部材に取り付けられている。留め具を第１回転部材及び第２回転部材といった別部材から構成することにより、ブラケット本体への留め具の取り付け構成を簡素化できる。
【００１２】
一実施形態として、留め具は、第２面と略平行な押さえ面を有する第２フックを更に有してもよく、第２フックは留め具の回転軸に沿った方向において第１フックとは異なる位置に設けられている。第２フックの押さえ面は、少なくとも留め具が初期位置から第２留め位置まで回転した際、第１壁部の第２面との間に第２空隙を画定するように第２面と対向していてもよい。異なる位置に設けられる第１フック及び第２フックにより、このブラケットは、異なる板厚のパネルの前板（アングル）に対応することができる。この場合において、第１空隙の距離は、回転軸に沿った方向において、第２空隙の距離よりも短くてもよい。ここで、「第２係止位置」は、回転された留め具によって光ユニットが第２板厚を有するラックに固定された際の位置である。第２板厚は、第１板厚と異なってもよく、また厚くてもよい。
【００１３】
一実施形態として、留め具が第１フック及び第２フックを有する場合において、留め具は、第１フックと第２フックとがその外周に設けられる筒部を更に有してもよい。第１フック部材と第２フック部材とが筒部の周方向における逆側に配置されていてもよい。この場合、例えば、第１の板厚のラックにブラケットを固定する場合には第１回転方向に留め具を回し、第２の板厚のラックにブラケットを固定する場合には逆の第２回転方向に留め具を回す、といった操作方法を容易に実現することができ、直感的な操作を提供できる。
【００１４】
一実施形態として、留め具が第１フック及び第２フックを有する場合において、ブラケット本体は、当該ブラケット本体を光ユニットに固定するための構造を含む第２壁部を有してもよく、当該第２壁部には切欠きが設けられている。留め具が初期位置から第１係止位置へと回転した際に第２フックが切欠きに収納されてもよく、又は、留め具が初期位置から第２係止位置へと回転した際に第１フックが切欠きに収納されてもよい。この場合、ラックへの係止に用いない方のフックを収納することができるため、ブラケットの全体構成をよりコンパクトにできる。
【００１５】
一実施形態として、ブラケット本体は、当該ブラケット本体を光ユニットに固定するための構造を含む第２壁部を有してもよい。第１壁部と第２壁部とは、第１壁部が広がる方向と第２壁部が広がる方向とが交差するように連なっていてもよい。この場合、光ユニットの側面を第２壁部によってブラケットに固定させることができるため、光ユニット及びブラケット間の固定をより強固にすることができる。
【００１６】
一実施形態として、突起は、留め具が通される穴よりも上方に位置するように第１壁部に設けられていてもよい。ラックの孔に挿入して仮留めするための突起をこのように上方に配置することにより、第１フック等で固定する前の仮固定時のブラケットがラックから落ちづらくなり、ブラケットのラックへの固定をより簡易に行うことができる。
【００１７】
本開示の一実施形態に係るブラケット付き光ユニットは、少なくとも上述した何れかの実施形態に係るブラケットと、複数の光ファイバが内部に収納された光ユニットと、を備えている。ブラケット本体は、光ユニットに固定されている。このようなブラケット付き光ユニットによれば、光ユニットをラックにより簡易に取り付けることができる。
【００１８】
［本開示の実施形態の詳細］
本開示の実施形態に係るブラケット及びブラケット付き光ユニットについて、以下に図面を参照して説明する。本発明はこれらの例示に限定されるものではなく、請求の範囲によって示され、請求の範囲と均等の意味および範囲内でのすべての変更が含まれることが意図される。以下の説明では、図面の説明において同一の要素には同一の符号を付し、重複する説明を省略する。
【００１９】
まず、図１を参照して、本実施形態に係るブラケットによって一対のラックに光ユニットを取り付ける構成について説明する。図１は、一実施形態に係る一対のブラケット１により、光ユニットＰが一対のラックＲ１，Ｒ２に取り付けられている状態を示す斜視図である。光ユニットＰには、例えば、複数の光コネクタモジュールＭ（図１０Ａから図１０Ｃ及び図１１を参照）が搭載されており、それぞれを窓Ｐ１からＰ４の部分から嵌め込むようにしてその内側に挿入する。図１では省略しているが、光コネクタモジュールＭには、前面に複数のＬＣアダプタＡ１（まとめてＬＣアダプタパネル）が設けられ、背面にＭＰＯアダプタＡ２が設けられている。光コネクタモジュールＭの内部では、図１１に示すように、ＭＰＯアダプタＡ２に内部にて接続されるＭＰＯコネクタＣ２から分配された単心の光ファイバＦそれぞれが、前面側のＬＣアダプタＡ１にＬＣコネクタＣ１によって接続される。なお、光コネクタモジュールＭのＬＣアダプタＡ１及びＭＰＯアダプタＡ２の外側には、別のＬＣコネクタ及びＭＰＯコネクタ付きのコード又はケーブルがそれぞれ接続される。図１０Ａから図１０Ｃでは、上記のＬＣアダプタＡ１の外側に接続されるＬＣコネクタのみを図示している。このように光ユニットＰは、複数の光ファイバが内部に収納され、本体の前面（図示前方）からコードが、本体の裏面から複数の光ファイバを纏めた光ケーブルまたはコードが、引き出される。
【００２０】
光ユニットＰは、横長構成の筐体を含んで構成されており、１９インチラック（ＥＩＡ規格）等のラックＲ１，Ｒ２にその両端が固定される。ラックＲ１，Ｒ２のアングルＲ１ａ，Ｒ２ａには、複数の留め孔Ｈが上下方向に連続して設けられている。ラックのアングルには、例えば、アングル厚が薄いタイプ（例えば、厚さ２．３ｍｍ）と厚いタイプ（例えば、厚さ６ｍｍ）とがあり、図１には、アングル厚が薄いタイプのラックＲ１，Ｒ２が示されている。本実施形態では、光ユニットＰは、一対のブラケット１によってラックＲ１，Ｒ２に固定される。なお、図１には、１つの光ユニットＰのみを取り付けた構成を開示しているが、これに限定されず、多数の光ユニットＰをブラケット１によってラックＲ１，Ｒ２に取り付けることができる。ブラケット１の詳細な構成については後述するが、ブラケット１は、ネジ等によって光ユニットＰの側面に固定されるものの、ラックＲ１，Ｒ２への取り付けにはネジ等を使用せず、留め孔Ｈへ挿入される突起１３による仮留め（図７Ｂ参照）と、留め具Ｓ（フック３３等）の回転動作によりラックＲ１，Ｒ２のアングルＲ１ａ，Ｒ２ａを挟み込むことによる本留め（図７Ｂ参照）とによって、光ユニットＰをラックＲ１，Ｒ２に固定する。
【００２１】
次に、図２から図５Ａ及び５Ｂを参照して、本実施形態に係るブラケット１の構成について説明する。図２は、ブラケット１の分解斜視図である。図３は、ブラケット１の一構成部品であるブラケット本体１０を裏側から視た斜視図である。図４は、ブラケット１の一構成部品である留め具Ｓを裏側から視た斜視図である。図５Ａは、留め具Ｓを表側から視た際の分解斜視図であり、図５Ｂは、留め具Ｓを裏側から視た際の分解斜視図である。なお、図２から図５Ａ及び５Ｂでは、図１に示すブラケット１の内、右側のブラケットの構成について説明するが、左側のブラケット１の構成は、光ユニットＰの長手方向の中心を中心線として、右側のブラケット構成を線対称にした左右対象構造を有しており、その説明を省略する。ブラケット１は、図２に示すように、ブラケット本体１０と、回転部材２０，３０を有する留め具Ｓと、弾性部材４０と、を備えている。ネジ５０は、回転部材２０，３０を相互に固定する。
【００２２】
ブラケット本体１０は、図２及び図３に示すように、第１壁部１１と第２壁部１２とを有している。第１壁部１１と第２壁部１２は、第１壁部１１が広がる面方向と第２壁部１２が広がる面方向とが直角を形成するように連なっており、Ｌ字形状を画定する。第１壁部１１と第２壁部１２は、Ｔ字形状を画定するように連なってもよいし、直角以外の角度で交差するように連なってもよい。第１壁部１１は、前面１１ａとその逆側の後面１１ｂとを含む。第１壁部１１には、前面１１ａから後面１１ｂに向かって貫通する穴１１ｃが設けられている。穴１１ｃには、回転部材２０，３０を含んで構成される留め具Ｓが挿通されるように配置される。穴１１ｃには、留め具Ｓの回転動作を調整（回転部材３０の突起３８が嵌合）するための４つの溝１１ｄ（０度／９０度／１８０度／２７０度）が設けられている。また、第１壁部１１の前面１１ａには、貫通穴１１ｃの外周部分を覆うように環状体１４が設けられている。環状体１４内にはＯリング等の弾性部材４０が収納される。留め具Ｓの回転動作をより確実に固定するため、留め具Ｓのハンドル２１の内側に設けられる突起２５（例えば図４を参照）に係合可能な一対の突起１５が環状体１４の外周に設けられていてもよい。一対の突起１５のそれぞれは、環状体１４の周方向の反対側に位置するように設けられている。
【００２３】
第１壁部１１の後面１１ｂには、前面１１ａとは逆に伸びる突起１３が設けられている。突起１３は、先端がテーパを為す微小な略円柱形状のピンであり、図１に示すラックＲ１，Ｒ２の留め孔Ｈに対応した位置決めや落下防止といった機能を奏するために用いられる。突起１３が留め孔Ｈに挿入されることにより、ブラケット１をラックＲ１，Ｒ２に対して仮留めすることができる。突起１３は、貫通穴１１ｃよりは上方のやや外側に位置している（ラックに係止する際には、この部分にラックＲ１等が位置する）。突起１３は、貫通穴１１ｃよりも下方に設けてもよいが（貫通穴１１ｃを突起１３よりも上方に設けてもよいが）、貫通穴１１ｃを上方に設ける構成により、ブラケット１のラックＲ１，Ｒ２への仮留めを安定化させることができ、その後の本固定作業を容易なものにすることができる。
【００２４】
ブラケット本体１０の第２壁部１２には、ブラケット本体１０を光ユニットＰの側面に固定するための複数の孔１２ａ（本実施形態では一例として２×２の４個の孔）が設けられている。これらの孔１２ａを介してネジ留めすることにより、ブラケット本体１０が光ユニットＰに固定される。また、第２壁部１２の孔１２ａよりは第１壁部１１寄りの箇所には、切欠き１２ｂが設けられている。切欠き１２ｂには、留め具Ｓの回転部材３０に設けられたフック３３又は３４のうち、ラックＲ１，Ｒ２への固定に使用されていない方のフックが収納される。これにより、ブラケット１の構成をコンパクトにすることができる。このような構成を有するブラケット本体１０は、例えば、アルミニウム等の金属ダイカストによって形成される。ブラケット本体１０は、プラスチック樹脂から形成されてもよい。
【００２５】
留め具Ｓは、図２及び図４に示すように、回転部材２０及び３０を含んで構成されており、回転部材２０及び３０が一体的に回転するようにネジ５０により回転部材２０が回転部材３０に取り付けられている。留め具Ｓでは、第１壁部１１の前面１１ａ側に設けられる回転部材２０と、第１壁部１１の後面１１ｂ側に設けられる回転部材３０とが、第１壁部１１に設けられた貫通穴１１ｃを通るように両側から挿入されて、ネジ留めされる。その際、回転部材２０と第１壁部１１の前面１１ａとの間に（環状体１４の内側に）、Ｏリング等の弾性部材４０が挿入される。この弾性部材４０の挿入により、回転部材２０に固定される回転部材３０が軸方向に沿った微小な範囲で移動することができるようになる。留め具Ｓを構成する回転部材２０及び３０は、例えば、アルミニウム等の金属ダイカストにて形成される。回転部材２０及び３０は、プラスチック樹脂から形成されてもよい。
【００２６】
回転部材２０は、図４及び図５Ａ及び５Ｂに示すように、留め具Ｓを回転させるためのハンドル２１と、回転部材３０を取り付ける際に回転部材３０を受ける円板部２２と、回転部材３０と一体になって回転するためのキー２３とを含む。キー２３は、溝３５に挿入される。回転部材２０には、ネジ５０を挿通させるための貫通穴２４がその内部に設けられている。また、回転部材２０には、ハンドル２１の回転を固定するための突起２５が設けられている。上述したように、突起２５がブラケット本体１０の何れかの突起１５に係合することにより、ハンドル２１の回転が固定される。
【００２７】
回転部材３０は、図４及び図５Ａ及び５Ｂに示すように、筒形状の本体部３１と、本体部３１から外方に向かって突出する引っ掛け部３２と、本体部３１から外方に向かって突出するフック３３及び３４と、溝３５と、を含む。本体部３１には軸方向に沿った、ネジ５０用の雌ねじが形成されている。引っ掛け部３２は、後面１１ｂ側から貫通穴１１ｃに挿入された回転部材３０がそれ以上、前方に行かないように支持する部分である。フック３３及び３４は、初期位置からラックに光ユニットを固定する係合位置へと留め具Ｓが回転した際に、ブラケット１の第１壁部１１の後面１１ｂとの間にラックＲ１,Ｒ２のアングルＲ１ａ，Ｒ２ａを挟み込んで、ブラケット１をラックＲ１,Ｒ２に本固定するための部分である。各フック３３及び３４は、後面１１ｂと略平行な押さえ面３３ａ，３４ａを有しており、留め具Ｓが初期位置から係合位置へと回転した際、押さえ面３３ａ又は３４ａと後面１１ｂとの間に所定の空隙が画定される。フック３４は、留め具Ｓの回転軸Ｇに沿った方向において、フック３３とは異なる位置に設けられており、より具体的には、フック３３がフック３４よりも手前（第１壁部１１寄り）に設けられている。このため、回転部材３０では、フック３３の押さえ面３３ａと後面１１ｂとの間に設けられる空隙の距離が、回転軸Ｇに沿った方向において、フック３４の押さえ面３４ａと後面１１ｂとの間に設けられる空隙の距離よりも短くなっている。この所定の空隙には、ラックのアングルが配置される。つまり、所定の空隙の距離はアングル厚に対応しており、本実施形態では、前方に位置するフック３３が薄いタイプのアングル厚（２．３ｍｍ）に対応しており、後方に位置するフック３４が厚いタイプのアングル厚（６ｍｍ）に対応している。このように、図２等に示す例では、２種類以上のアングル厚を有するラックに対応することができる。また、フック３３及び３４は、筒形状の本体部３１の周方向における逆側（１８０度）に配置されている。このようにフック３３及び３４が周方向において相互に最も離れた位置に配置されていることにより、一方のフック３３を用いてラックＲ１，Ｒ２への本固定を行った場合、他方のフック３４がその本固定を邪魔しないようにすることができる。
【００２８】
次に、図６Ａ及び６Ｂと図７Ａ及び７Ｂを参照して、このような構成を有するブラケット１によって、光ユニットＰの一端（右端）をラックＲ１に取り付ける方法について説明する。なお、左右対称構造のブラケット１によって光ユニットＰの他端（左端）をラックＲ２に取り付ける方法も同様である。図６Ａは、ブラケットが非係止状態（初期位置）にある場合を示す正面図であり、図６Ｂは、ブラケットが非係止状態（初期位置）にある場合を示す側面図である。図７Ａは、光ユニットＰの一端（右端）がブラケット１によりラックＲ１に取り付けられている状態を表側から視た斜視図であり、図７Ｂは、光パネルの一端（右端）がブラケット１によりラックＲ１に取り付けられている状態を裏側から視た斜視図である。
【００２９】
図６Ａ及び図６Ｂに示すように、ブラケット１によって光ユニットＰをラックＲ１に取り付ける前の初期位置では、ブラケット１のハンドル２１は上下方向に沿って先端が上方に向かうようになっており、これに対応して、フック３３及び３４も本体部３１に対して上下方向に位置するような回転方向の位置となっている。より具体的には、薄板用のフック３３が下方に、厚板用のフック３４が上方に向かうように位置している。そして、このようなブラケット１の突起１３を、まずはラックＲ１の所定の留め孔Ｈに挿入して、ブラケット１をラックＲ１に仮留めする。
【００３０】
ブラケット１のラックＲ１への仮留めが終了すると、留め具Ｓのハンドル２１を内側（光ユニットＰ側）に９０°回す。これにより、図７Ａ及び図７Ｂに示すように、ハンドル２１の動きに連動して回転部材２０，３０も９０°回転し、薄板用のフック３３（押さえ面３３ａ）がブラケット１の中心から外側に向かった領域に配置されるラックＲ１のアングルＲ１ａを、第１壁部１１の後面１１ｂと共にその間に挟み込むことにより、固定する。この際、フック３３は、後面１１ｂにアングルＲ１ａを押し込むように圧をかける。また、回転部材２０の突起２５が一方の突起１５に係合するため、回転部材２０等が回転し過ぎて固定が外れてしまうことが抑制される。ラックＲ１は、突起１３の留め孔Ｈへの挿入による仮固定と、フック３３と後面１１ｂとの挟み込みによる本固定の２箇所での取り付けにより、ブラケット１に対して固定される。ブラケット１が光ユニットＰにネジ留めされているため、ラックＲ１へのブラケット１の固定により、光ユニットＰはラックＲ１の所定の箇所に固定される。この際の固定に用いられないフック３４は、内側に回転し、第２壁部１２の切欠き１２ｂに収納される。
【００３１】
ラックのアングルが厚板の場合、図８に示すように、ブラケット１のラックＲ３，Ｒ４のアングルＲ３ａ，Ｒ４ａへの仮留めが終了した後、留め具Ｓのハンドル２１を外側に９０°回す。これにより、ハンドル２１の動きに連動して回転部材２０，３０も９０°回転し、厚板用のフック３４（押さえ面３４ａ）がブラケット１の中心から外側に向かった領域に配置されるラックＲ３，Ｒ４のアングルＲ３ａ，Ｒ４ａを、第１壁部１１の後面１１ｂと共に挟み込むことにより、固定する。この際、回転部材２０の突起２５が他方の突起１５に係合するため、回転部材２０等が逆側に回転し過ぎて固定が外れてしまうことが抑制される。この際の固定に用いられないフック３３は、内側に回転し、第２壁部１２の切欠き１２ｂに収納される。
【００３２】
以上、本開示の実施形態に係るブラケット１には、ラックに設けられた留め孔Ｈに挿入して光ユニットＰをラックに対して仮固定するための突起１３と、ラックのアングルをその間に挟み込んで固定することができるブラケット本体１０の第１壁部１１の後面１１ｂ及び留め具Ｓのフック３３，３４の押さえ面３３ａ，３４ａとが設けられている。そして、ブラケット１では、突起１３をラックの留め孔Ｈに挿入した後、留め具Ｓを初期位置から係止位置まで回転させることで、後面１１ｂと押さえ面３３ａ又は３４ａとの間にラックのアングルを容易に挟み込むことができる。このようなブラケット１によれば、ブラケットをネジ留め等によりラックに取り付ける必要がなく、操作が比較的容易な回転動作により光ユニットＰをラックに取り付けられるため、取り付け作業時間を短縮することができる。
【００３３】
本実施形態では、留め具Ｓは、第１壁部１１の前面１１ａの側に設けられ、当該留め具Ｓを回転させるように構成されたハンドル２１を有している。ハンドル２１を有しているため、留め具Ｓの回転動作を容易に行える。また、ブラケット１は、ハンドル２１とブラケット本体１０との間に配置される弾性部材４０を備えている。弾性部材４０（Ｏリング）を両者の間に設けることにより、後面１１ｂと押さえ面３３ａ又は３４ａとによるラックの挟み込みに付勢力を提供して、光ユニットＰをラックに対してより確実に固定させることができる。
【００３４】
本実施形態では、留め具Ｓは、当該留め具を回転させるように構成されたハンドル２１を有し、前面１１ａの側に設けられる回転部材２０と、フック３３，３４を有し、後面１１ｂの側に設けられる回転部材３０とを有している。留め具Ｓを回転部材２０，３０といった別部材から構成することにより、ブラケット本体１０への留め具Ｓの取り付け構成を簡素化できる。
【００３５】
本実施形態では、留め具Ｓは２つのフック３３，３４を有しており、フック３４は留め具Ｓの回転軸に沿った方向においてフック３３とは異なる位置に設けられている。このように異なる位置に設けられるフック３３，３４により、ブラケット１は、異なる板厚のパネルのアングルに対応することができる。
【００３６】
本実施形態では、留め具Ｓは、フック３３，３４がその外周に設けられる本体部３１を更に有しており、フック３３及び３４が本体部３１の周方向における逆側に配置されている。この場合、例えば、第１の板厚のラックにブラケットを固定する場合には第１の回転方向に留め具を回してフック３３でアングルを固定し、第２の板厚のラックにブラケットを固定する場合には逆の第２の回転方向に留め具を回してフック３４でアングルを固定する、といった操作方法を容易に実現することができる。
【００３７】
本実施形態では、ブラケット本体１０は、当該ブラケット本体を光ユニットＰに固定するための孔１２ａを含む第２壁部１２を有している。第２壁部１２には切欠き１２ｂが設けられている。留め具Ｓが初期位置からフック３３による係止位置へと回転した際にフック３４が切欠き１２ｂに収納されてもよい。また、逆に留め具Ｓが初期位置からフック３４による係止位置へと回転した際にフック３３が切欠き１２ｂに収納されてもよい。この構成により、ラックへの係止に用いない方のフックを収納することができ、ブラケット１の全体構成をよりコンパクトにできる。
【００３８】
本実施形態では、ブラケット本体は、当該ブラケット本体を光ユニットＰに固定するための構造を含む第２壁部１２を有している。光ユニットＰの側面を第２壁部１２によってブラケット１に固定させるため、光ユニットＰ及びブラケット１間の固定をより強固にすることができる。
【００３９】
本実施形態では、突起１３は、留め具Ｓが通される穴１１ｃよりも上方に位置するように第１壁部１１に設けられている。ラックの孔Ｈに挿入して仮留めするための突起１３を上方に配置することにより、仮固定時のブラケット１がラックから落ちづらくなり、ブラケット１のラックへの固定をより簡易に行うことができる。
【００４０】
なお、本実施形態に係る一対のブラケットが予め取り付けられたブラケット付き光ユニットによれば、光ユニットをラックにより簡易に取り付けることができる。
【００４１】
以上、本実施形態に係るブラケットやブラケット付きの光ユニットについて説明してきたが、本発明はこれらに限定されるものではなく、種々の変形を適用することができる。例えば、上記の実施形態に係るブラケットは、ラックのアングルが薄い場合と厚い場合の２種類に対応できるブラケットについて説明したが、図９に示すように、１種類の厚さのアングルに対応するブラケット１ａであってもよい。ブラケット１ａの留め具（回転部材６０）には、押さえ面６２ａを有するフック６２が１つ設けられている。フック６２の突出方向は、ハンドル６１の延在方向と同じであり、上記の実施形態と同様に、直感的に操作することができる。なお、図９には、留め具を１つの部材から構成する例を示しているが、留め具は、上述した実施形態に示すように複数の部材から構成されてもよいし、単体の部材から構成されてもよい。図９に示す例の場合であっても、回転部材６０がブラケット本体１０ａの貫通穴１１ｅに通されて、押さえ面６２ａによってアングルが固定され、光ユニットＰがラックに固定される。
【符号の説明】
【００４２】
１…ブラケット、１０,１０ａ…ブラケット本体、１１…第１壁部、１１ａ…前面、１１ｂ…後面、１１ｃ，１１ｅ…貫通穴、１１ｄ…溝、１２…第２壁部、１２ａ…孔、１２ｂ…切欠き、１３…突起、１４…環状体、１５…突起、２０…回転部材、２１…ハンドル、２２…円板部、２３…キー、２４…貫通穴、２５…突起、３０…回転部材、３１…本体部、３２…引っ掛け部，３３,３４…フック、３３ａ,３４ａ…押さえ面、３５…溝、３８…突起、４０…弾性部材、５０…ネジ、６０…回転部材、６１…ハンドル、６２…フック、６２ａ…押さえ面、Ａ１…ＬＣアダプタ、Ａ２…ＭＰＯアダプタ、Ｃ１…ＬＣコネクタ、Ｃ２…ＭＰＯコネクタ、Ｆ…光ファイバ、Ｈ…留め孔、Ｍ…光コネクタモジュール、Ｐ…光ユニット（光パネル）、Ｐ１，Ｐ２，Ｐ３，Ｐ４…窓、Ｒ１，Ｒ２,Ｒ３，Ｒ４…ラック、Ｒ１ａ，Ｒ２ａ，Ｒ３ａ，Ｒ４ａ…アングル、Ｓ…留め具。
【図１】
2020054776.tif 000003
【図２】
2020054776.tif 000004
【図３】
2020054776.tif 000005
【図４】
2020054776.tif 000006
【図５Ａ】
2020054776.tif 000007
【図５Ｂ】
2020054776.tif 000008
【図６Ａ】
2020054776.tif 000009
【図６Ｂ】
2020054776.tif 000010
【図７Ａ】
2020054776.tif 000011
【図７Ｂ】
2020054776.tif 000012
【図８】
2020054776.tif 000013
【図９】
2020054776.tif 000014
【図１０Ａ】
2020054776.tif 000015
【図１０Ｂ】
2020054776.tif 000016
【図１０Ｃ】
2020054776.tif 000017
【図１１】
2020054776.tif 000018
【国際調査報告】
2020054776.tif 000019
2020054776.tif 000020